(57)【特許請求の範囲】
【請求項１】
軸筒上部にクリップを備えていて、前記クリップの内側に前記軸筒内に没入する係止突起を設け、前記軸筒内に常時上方へのバネ圧を付与される解除レバ−と複数の芯取付用ノックを配置し、前記解除レバ−の上部と前記ノックの上部に上下方向において交錯関係を持つようにしてそれぞれ、互いの接触面を曲面にした内方突部を設けると共に、前記解除レバ−の下部に設けた従動突部と前記ノックの下部に設けた作用突部を上下方向において交錯関係を持つようになし、前記解除レバ−に、その下降端において前記クリップの係止突起が嵌合する係止孔を形成したことを特徴とする芯自動復帰機構付き多色ボ−ルペン。
【請求項２】
前記ノックが３個配置され、それらと前記解除レバ−とが９０度間隔に配置される請求項１に記載の芯自動復帰機構付き多色ボ−ルペン。
【発明の詳細な説明】
【０００１】
【発明の属する技術分野】
本発明は芯自動復帰機構付き多色ボ−ルペン、より詳細には、複数の出没する芯を有するクリップ付き多色ボ−ルペンであって、作用後芯の収納操作を忘れた状態でポケット等に差し込んだとしても、自動的に芯が引込んで収納される機能を有する芯自動復帰機構付き多色ボ−ルペンに関するものである。
【０００２】
【従来の技術】
ボ−ルペンには、芯を軸筒から出したままのものと、使用に際して芯を軸筒から露出させ、使用後には芯を軸筒内に収納するタイプのものとがある。後者のタイプのものでクリップ付きのものの場合、使用後芯の収納操作を失念し、芯を露出させたままでポケット等に差し込んでしまうことがあり、その場合は衣服等にインクが浸み出て衣服等を汚してしまう虞がある。特に水性、中性、ジェルのインクのように吸水性のよいインクの場合、汚れがひどくなりやすい。
【０００３】
そこで、ポケット等に差し込んだ際、換言すれば、クリップと軸筒との間に薄手の物を挾入した場合に、自動的に芯が軸筒内に収納される機能を有するノック式筆記具が提唱されている（例えば特開平１０−８９５号公報）。
【０００４】
【発明が解決しようとする課題】
上記従来のノック式筆記具は芯が１本の単色ボ−ルペンであって、この機構を複数の芯を有する多色ボ−ルペンに適用することはできない。
そこで本発明は、簡単な構成であって、使用後芯の収納操作を忘れた状態でポケット等に差した場合であっても、その芯が自動的に軸筒内に引込み、以てポケット等を汚す虞のない芯自動復帰機構付き多色ボ−ルペンを提供することを課題とする。
【０００５】
【課題を解決するための手段】
本発明は、軸筒上部にクリップを備えていて、前記クリップの内側に前記軸筒内に没入する係止突起を設け、前記軸筒内に常時上方へのバネ圧を付与される解除レバ−と複数の芯取付用ノックを配置し、前記解除レバ−の上部と前記ノックの上部に上下方向において交錯関係を持つようにしてそれぞれ内方突部を設けると共に、前記解除レバ−の下部に設けた従動突部と前記ノックの下部に設けた作用突部を上下方向において交錯関係を持つようになし、前記解除レバ−に、その下降端において前記クリップの係止突起が嵌合する係止孔を形成したことを特徴とする芯自動復帰機構付き多色ボ−ルペン、を以て上記課題を解決した。
【０００６】
【発明の実施の形態】
本発明の実施の形態を添付図面に依拠して説明する。図１は本発明に係る多色ボ−ルペンの外観図であって、それは、３本の通常それぞれ異なる色の芯が内蔵されるものである。図中１は２分割可能にした軸筒で、頭部にクリップ２を備える。クリップ２の先端部内側には係止突起３が形成され、係止突起３は平時、即ち本多色ボ−ルペンをポケットに差し込んでいないときに、軸筒１に形成した孔内に入り込むようにされる。
【０００７】
クリップ２と３本の芯５は、通例それぞれ９０度置きになるように配置される。芯５の軸筒１からの繰出し機構、ロック機構並びにロック解除機構は、従来のものと同じである。即ち、各芯５はその端部を、軸筒１の上部に軸方向に形成されたスリット６内を移動する色分けされたノック７の、下方突出部８に嵌め付けられて軸筒１内に保持される。
【０００８】
ノック７の下方突出部８には復帰スプリング９が纒装されていて、芯５の端部はこの復帰スプリング９内に収まる。軸筒１内には、各芯５を個別に挿通支持すると共に、復帰スプリング９の下面を当接させるスプリング受け１０が設置される。
【０００９】
ノック７は、スリット６の外に突出する外方突部１１と、スリット６の内側に突出する内方突部１２とを有しており、芯５の繰出しに際しては、外方突部１１を指で押し下げる。その押下力は軸方向にだけでなく、内方、即ち、ノック７をスリット６に押し付ける力としても作用するので、ノック７の上端がスリット６に形成されているロック用段部１３を通過するに至り、上記内方押付力によってノック７は内方に押されてロック用段部１３の下に形成されるスペ−スに逃げる。そこで外方突部１１に対する押下力を解除すると、ノック７は復帰スプリング９によって押し上げられ、その頭面がロック用段部１３に強く押し付けられてロックされる。かくして、当該ノック７に取り付けられた芯５の露出状態が維持される。
【００１０】
このロック状態下において他のノック７を押し下げると、そのノック７の内方突部１２がロックされているノック７の内方突部１２に触れる。その結果、そのロックされていたノック７に対し外方押圧力が加わり、以てそのノック７はロック用段部１３の下のスペ−スから押し出されてロックが外れ、復帰スプリング９の作用で元の位置に戻り、芯５が収納される。
【００１１】
本発明においては、上記３本の芯保持並びにロック機構に加え、自動解除機構が付加される。これは、上記クリップ２の係止突起３及びそれによってロックされる解除レバ−１５、並びにノック７下部に形成される作用突部１６で構成される。
【００１２】
解除レバ−１５は、芯５と同様にスプリング受け１０によって支持される軸部１７を有していて、その上部に復帰スプリング１８が纒装され、復帰スプリング１８の下面がスプリング受け１０に当接する。解除レバ−１５には、上下方向において各ノック７の内方突部１２と交錯する内方突部１９と、やはり上下方向において各ノック７の作用突部１６と交錯する従動突部２０とが形成され、また、クリップ２の係止突起３が係合する係止孔２１が形成される。
【００１３】
上記構成において、所望の色のノック７を１つ選択し、復帰スプリング９の押上力に抗して指で押下すると、上下方向において交錯している内方突部１２と内方突部１９の曲面同士が接触し（図２の状態）、内方突部１２が内方突部１９を外方に押圧し、解除レバー１５を若干外方に変位させる（図３に示す位置参照）。その結果、内方突部１９に対する内方突部１２の当接位置が下がることで、上下方向において交錯している作用突部１６と従動突部２０とが接触するに至り、ノック７の下方移動に伴い、作用突部１６が復帰スプリング１８の押上力に抗して従動突部２０を押下する。即ち、いずれかのノック７が下降すると、必ずそれに追随して解除レバ−１５も下降することになる。やがてノック７がロック用段部１３を過ぎてロックされる位置に到るが、その位置においてクリップ２の係止突起３が係合孔２１に嵌合する。それにより解除レバ−１５がロックされ、他から力が加わらない限りその位置に止まる。
【００１４】
本発明に係るボ−ルペンをその状態においてポケットに差したり、薄手の物を軸筒１とクリップ２との間に差し込んだり、何らかの理由でクリップ２を開いたりしたような場合は、係止突起３が係止孔２１から外れる。すると、復帰スプリング１８が作用して解除レバ−１５を押し上げる。この解除レバ−１５の動きに伴い、ノック７の内方突部１２が解除レバ−１５の内方突部１９により外方向に押され、即ち、内方突部１９が、上記のように外方突部１１の押下げによって内方に押された状態でロック用段部１３によってロックされているノック７の内方突部１２に曲面接触することで、内方突部１２が外方向に押され、以て、ノック７に対するロック状態が解除され、当該ノック７の芯５が軸筒１内に収納される。
【００１５】
従って、通常の芯収納動作、即ち、芯５の出ていないノック７の押下によって芯５の出ているノック７のロック状態を解除する操作を失念したまま、ボ−ルペンをポケットに差し込んだとしても、芯５は自動的に軸筒１内に収納されることになり、ポケット等を汚す心配はない。
【００１６】
【発明の効果】
本発明は上述した通りであって、本発明によれば簡易な機構にして、芯を収納し忘れたままポケット等に差し込んだとしても、その差し込み動作に伴って当該芯の自動的収納が可能で、以てポケット等を汚す心配のない多色ボ−ルペンが得られる効果がある。
【図面の簡単な説明】
【図１】  本発明に係る多色ボ−ルペンの外観例を示す図である。
【図２】  本発明に係る多色ボ−ルペンの主要部の構成図である。
【図３】  本発明に係る多色ボ−ルペンの主要部の構成図である。
【符号の説明】
１  軸筒
２  クリップ
３  係止突起
５  芯
６  スリット
７  ノック
８  下方突出部
９  復帰スプリング
10  スプリング受け
11  外方突部
12  内方突部
13  ロック用段部
15  解除レバ−
16  作用突部
17  軸部
18  復帰スプリング
19  内方突部
20  従動突部
21  係止孔
【図１】
0004201292.tif 000002
【図２】
0004201292.tif 000003
【図３】
0004201292.tif 000004